(57)【要約】【課題】立ったまま自分で装着することが容易なパンツ型使い捨ておむつを提供すること。【解決手段】着用者の前後方向に対応する縦方向及び該縦方向に直交する横方向を有し、吸収体を含み、縦方向の両側部に立体ギャザーを有する吸収性本体１０と、吸収性本体の非肌対向面側に配された外装材１１とを備え、着用者の腹側に配される腹側部の両側部と着用者の背側に配される背側部の両側部とが接合されて一対のサイドシール部Ｓ，Ｓ、ウエスト開口部５及び一対のレッグ開口部６，６が形成されているパンツ型吸収性物品１であり、自然平坦状態において、サイドシール部の下端Ｓｄと立体ギャザーの先端８ａとを結ぶ第１仮想直線Ｌ１と、立体ギャザーの先端８ａを通り横方向Ｙに延びる第２仮想直線Ｌ２とのなす角度θが４０°以上６０°以下であり、且つ立体ギャザー８は、その先端８ａが立ち上がり基端８ｂよりパンツ型吸収性物品の横方向中央側に位置している。【選択図】図４
2018015345.tif 000002
【特許請求の範囲】
【請求項１】
着用者の前後方向に対応する縦方向及び該縦方向に直交する横方向を有し、吸収体を含み、前記縦方向の両側部に立体ギャザーを有する吸収性本体と、該吸収性本体の非肌対向面側に配された外装材とを備え、着用時に着用者の腹側に配される腹側部と着用者の背側に配される背側部とその間に位置する股下部とを有し、腹側部の両側部と背側部の両側部とが接合されていることによって、一対のサイドシール部、ウエスト開口部及び一対のレッグ開口部が形成されているパンツ型吸収性物品であって、
前記立体ギャザーは、前記吸収性本体の縦方向にそれぞれ沿って延びる先端及び立ち上がり基端を有しており、
自然平坦状態において、前記サイドシール部の下端と前記立体ギャザーの前記先端とを結ぶ第１仮想直線と、該立体ギャザーの前記先端を通りパンツ型吸収性物品の前記横方向に延びる第２仮想直線とのなす角度θが４０°以上６０°以下であり、且つ前記立体ギャザーの前記先端が、該立体ギャザーの前記立ち上がり基端よりパンツ型吸収性物品の前記横方向中央側に位置している、パンツ型吸収性物品。
【請求項２】
前記ウエスト開口部における一対のサイドシール部間の最大伸長長さが、前記自然平坦状態における前記股下部の下端幅の３倍以上である、請求項１に記載のパンツ型吸収性物品。
【請求項３】
前記自然平坦状態において、前記サイドシール部の下端と前記股下部の側端部との間のパンツ型吸収性物品の前記横方向の距離が、前記股下部の下端幅の０．２倍以上である、請求項１又は２に記載のパンツ型吸収性物品。
【請求項４】
前記レッグ開口部の開口周縁部に伸縮性を付与するレッグ部弾性部材として、前記腹側部から前記股下部に亘って配された第１のレッグ部弾性部材と、前記背側部から前記股下部に亘って配された第２のレッグ部弾性部材とを有しており、第１のレッグ部弾性部材と第２のレッグ部弾性部材とが、前記股下部における前記横方向の全域に亘って相互に離間している、請求項１〜３の何れか１項に記載のパンツ型吸収性物品。
【請求項５】
パンツ型吸収性物品の前記縦方向における、第１のレッグ部弾性部材の配置領域と第２のレッグ部弾性部材の配置領域との間の領域には、前記立体ギャザーに配されている弾性部材以外に、前記縦方向に延びる弾性部材が配されていない、請求項４に記載のパンツ型吸収性物品。
【請求項６】
成人用のパンツ型吸収性物品である、請求項１〜５の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
パンツ型の吸収性物品として、吸収体を有する吸収性本体と、該吸収性本体の非肌対向面側に配されて該吸収性本体を固定している外装材とを備え、着用時に着用者の腹側に配される腹側部の両側部と着用者の背側に配される背側部の両側部とが接合されて、一対のサイドシール部、ウエスト開口部及び一対のレッグ開口部が形成されているパンツ型使い捨ておむつが知られている。
斯かるパンツ型使い捨ておむつのうち、成人用や幼児のおむつ離れに使用するトレーニング用のものなどは、成人の場合は生活の質（ＱＯＬ）の向上、幼児の場合は通常の下着に移行し易くなる等の観点から、レッグ開口部に両脚を通した後引き上げて、立ったまま自分で装着することができることが好ましい。
【０００３】
しかし、従来のパンツ型吸収性物品は、立ったままレッグ開口部に足を通すには、体を大きく傾ける必要があったり、足がレッグ開口部の入り口付近に引っ掛ったりして、装着が必ずしも容易ではなかった。
【０００４】
特許文献１には、立ったまま自分で装着することが可能なおむつとして、着用者の胴周りに配置される胴周り部と股間部とを、着用者の腹側および背側のいずれか一方で着脱可能に接続可能としたものが記載されている。
【先行技術文献】
【特許文献】
【０００５】
【特許文献１】特開２００８−０３６０１９号公報
【発明の概要】
【発明が解決しようとする課題】
【０００６】
しかし、特許文献１のものは、胴周り部と股間部とを接続する操作が必要であり、装着の操作に手間が掛る。
【０００７】
したがって本発明の課題は、前述した従来技術が有する欠点を解消し得るパンツ型吸収性物品を提供することにある。
【課題を解決するための手段】
【０００８】
本発明は、着用者の前後方向に対応する縦方向及び該縦方向に直交する横方向を有し、吸収体を含み、前記縦方向の両側部に立体ギャザーを有する吸収性本体と、該吸収性本体の非肌対向面側に配された外装材とを備え、着用時に着用者の腹側に配される腹側部と着用者の背側に配される背側部とその間に位置する股下部とを有し、腹側部の両側部と背側部の両側部とが接合されていることによって、一対のサイドシール部、ウエスト開口部及び一対のレッグ開口部が形成されているパンツ型吸収性物品であって、前記立体ギャザーは、前記吸収性本体の縦方向にそれぞれ沿って延びる先端及び立ち上がり基端を有しており、自然平坦状態において、前記サイドシール部の下端と前記立体ギャザーの前記先端とを結ぶ第１仮想直線と、該立体ギャザーの前記先端を通りパンツ型吸収性物品の前記横方向に延びる第２仮想直線とのなす角度θが４０°以上６０°以下であり、且つ前記立体ギャザーの前記先端が、該立体ギャザーの前記立ち上がり基端よりパンツ型吸収性物品の前記横方向中央側に位置している、パンツ型吸収性物品を提供するものである。
【発明の効果】
【０００９】
本発明のパンツ型吸収性物品は、立ったまま自分で装着することが容易である。
【図面の簡単な説明】
【００１０】
【図１】図１は、本発明のパンツ型吸収性物品の一実施形態であるパンツ型使い捨ておむつの着用状態を示す斜視図である。
【図２】図２は、図１に示すおむつの展開且つ伸長状態を示す展開平面図である。
【図３】図３は、図２のＩＩＩ−ＩＩＩ線に沿う模式断面図である。
【図４】図４は、図１に示すおむつの自然平坦状態を示す図である。
【図５】図５は、図１に示すおむつのウエスト開口部を引き伸ばした状態を示す図である。
【発明を実施するための形態】
【００１１】
以下本発明を、その好ましい実施形態に基づき図面を参照しながら説明する。
本発明の一実施形態であるパンツ型使い捨ておむつ１（以下、おむつ１ともいう）は、図１に示すように、成人用のパンツ型使い捨ておむつである。
おむつ１は、着用者の前後方向に対応する縦方向Ｘ及び該縦方向Ｘに直交する横方向Ｙを有し、図２及び図３に示すように、吸収体４を含み、縦方向Ｘの両側部に立体ギャザー８を有する吸収性本体１０と、該吸収性本体１０の非肌対向面側に位置して該吸収性本体１０を固定している外装材１１とを備えている。
【００１２】
おむつ１は、図２に示すように、着用時に着用者の腹側に配される腹側部Ａと背側に配される背側部Ｂとその間に位置する股下部Ｃとを有している。
外装材１１は、おむつ１の外表面を形成しており、その展開且つ伸長状態（図２参照）において、縦方向の中央部が括れた形状を有している。外装材１１は、腹側部Ａにおける両側部Ａ１，Ａ１と背側部Ｂにおける両側部Ｂ１，Ｂ１とが互いに接合されており、それによって、おむつ１に、一対のサイドシール部Ｓ，Ｓ、ウエスト開口部５及び一対のレッグ開口部６，６が形成されている。おむつ１等のパンツ型吸収性物品において、縦方向Ｘは、腹側部Ａから股下部Ｃを経て背側部Ｂに亘る方向であり、横方向Ｙは、縦方向Ｘに直交する方向である。
おむつ１は、吸収性本体１０及び吸収体４が、それぞれ、おむつ１の縦方向Ｘと同方向に長い縦長の形状を有している。
また、おむつ１は、縦方向Ｘに延びる縦方向中央線ＣＬに対して左右対称の形状を有している。そのため、左右対称な部分の説明を右側を例に説明することもあるが左側についても同様のことが言える。
【００１３】
吸収性本体１０は、液透過性の表面シート２、液難透過性の裏面シート３及び両シート２，３間に介在配置された液保持性の吸収体４を有している。液難透過性には、撥水性や液不透過性も含まれる。表面シート２、裏面シート３及び吸収体４としては、それぞれ、この種の物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート材等を用いることができる。裏面シート３は、透湿性を有していても良いし有していなくても良い。吸収体４としては、パルプ繊維等の吸収性繊維の集合体からなる吸収性コア又はこれに高吸収性ポリマーを保持させてなる吸収性コアが透水性の不織布やティッシュペーパ等のコアラップシートで被覆された構造のもの等を用いることができる。
【００１４】
吸収性本体１０は、一側縁部側が吸収性本体１０の構成部材に固定され且つその固定端を立ち上がり基端８ｂとして他側縁部側を先端８ａとして起立可能な立体ギャザー８を有している。立体ギャザー８は、図２及び図３に示すように、吸収性本体１０の縦方向の両側部に、それぞれ縦方向Ｘに沿って形成されている。立体ギャザー８は、立体ギャザー形成用シート８１と該シート８１に伸長状態で固定されている弾性部材８２とを有している。立体ギャザー形成用シート８１は、股下部Ｃに、表面シート２や裏面シート３等の吸収性本体１０の構成部材に固定されている固定域８１ｂと、該吸収性本体１０の構成部材に固定されていない自由域８１ａとを有しており、その自由域８１ａ及び該自由域８１ａに伸長状態で固定されている弾性部材８２が立体ギャザー８を形成している。立体ギャザー８は、先端８ａ及び立ち上がり基端８ｂを有しており、該先端８ａ及び該立ち上がり基端８ｂは、それぞれ吸収性本体１０の縦方向に沿って延びている。立体ギャザー形成用シート８１は、固定域８１ｂと自由域８１ａとの境界部が、立体ギャザー８の立ち上がり基端８ｂとなっており、立体ギャザー８の横方向における該立ち上がり基端８ｂとは反対側の端部が立体ギャザー８の先端８ａとなって自由域８１ａが起立可能となっている。
【００１５】
本実施形態における立体ギャザー形成用シート８１は、立体ギャザー８の立ち上がり基端８ｂより横方向Ｙの外側に位置する部分が、吸収体４の肌対向面側から非肌対向面側に巻き下げられている。立体ギャザー形成用シート８１は、吸収体４の非肌対向面側において裏面シート３及び外装材１１の少なくとも一方に接合されている部分と、吸収体４の肌対向面側において表面シート２上に固定されている部分とを有しており、股下部Ｃと、腹側部Ａ及び背側部Ｂそれぞれの一部においては、前述した自由域８１ａ部分が、表面シート２上から離間して立ち上がる立体ギャザー８を形成している。他方、腹側部Ａ及び背側部Ｂに位置する、吸収性本体１０の縦方向の両端部においては、立体ギャザー形成用シート８１は、立体ギャザー８の立ち上がり基端８ｂの延長線上に位置する部分より吸収性本体１０の横方向中央側に位置する部分８ｅも表面シート２上に伏倒されて表面シート２上に接合されている。
【００１６】
腹側部Ａ及び背側部Ｂそれぞれにおける外装材１１は、伸縮性シートからなる外層シート１２Ａ，１２Ｂと、外層シート１２Ａ，１２Ｂよりも肌対向面側に位置し、非伸長性シートからなる内層シート１３Ａ，１３Ｂとが積層された構造を有している。他方、股下部Ｃにおける外装材１１は、非伸長性シートからなる外層シート１２Ｃと、外層シート１２Ｃよりも肌対向面側に位置し、非伸長性シートからなる内層シート１３Ｃが積層された構造を有している。外層シート１２Ａ、外層シート１２Ｃ及び外層シート１２Ｂは、別体のシートからなるが、おむつ１の縦方向に隣り合う外層シート１２Ａと外層シート１２Ｃ、及び外層シート１２Ｂと外層シート１２Ｃとは、縦方向Ｘの端部同士が重ねた状態で接合されている。他方、内層シート１３Ａ、内層シート１３Ｃ及び内層シート１３Ｂは、連続する一枚のシートからなる。外層シート１２Ａ，１２Ｂを形成する伸縮性シートは、少なくともおむつ１の横方向Ｙに伸縮性を有しており、横方向Ｙに伸長させた状態で、外層シート１２Ｃ，内層シート１３Ａ及び内層シート１３Ｂと接合されている。腹側部Ａの内層シート１３Ａ上及び背側部Ｂの内層シート１３Ｂ上には、端部固定用シート１４Ａ，１４Ｂが、吸収性本体１０の縦方向の両端部を覆うように配されている。端部固定用シート１４Ａ，１４Ｂは、股下部Ｃ側とは反対側の端部が、おむつ１の横方向Ｙの全域に亘って相対向する面に接合されており、また吸収性本体１０の縦方向の端部を覆う部分が、吸収性本体１０の肌対向面に接合されている。これにより、おむつ１を装着する際に、吸収性本体１０の両端部に足などが引っ掛かることが防止される。
【００１７】
ここで、伸縮性シートとは、少なくとも横方向Ｙと同方向の最大伸度が１００％以上であるシートであり、且つ横方向Ｙと同方向に伸度１００％まで伸長させた後、収縮させたときにおける伸長回復率（１００％伸長時の伸長回復率）が、少なくとも７０％以上であるシートである。また、非伸長性シートとは、少なくとも横方向Ｙと同方向の最大伸度が１０％以下であるシート（長さが１．１倍までしか伸びないシート）である。最大伸度と伸長回復率とは、以下のようにして測定する。
【００１８】
＜伸長回復率の測定方法＞
測定対象のシートから、長さ５０ｍｍ、幅２５ｍｍの短冊状サンプル片を切り出し、市販されている引張試験機（例えば、ＯＲＩＥＮＴＥＣ社製ＴＥＮＳＩＬＯＮ  ＲＴＧ−１３１０）を用いて、そのサンプル片を、初期のチャック間距離ＤOを４０ｍｍとして、３００ｍｍ／ｍｉｎの引張速度で１００％伸長時の長さＤ2（Ｄ2＝Ｄ0×２）まで伸長させた後、引張速度と同様の速度で戻し始めて引張荷重が０になった時におけるサンプル片の長さを伸長回復後の長さＤ１とする。次式から１００％伸長時の伸長回復率を算出する。
１００％伸長時の伸長回復率（％）＝〔（Ｄ2−Ｄ1）／（Ｄ2−Ｄ0）〕×１００
おむつの横方向Ｙと同方向の伸長回復率又は最大伸度を測定する際には、おむつの横方向Ｙに対応する方向の長さが５０ｍｍ、おむつの縦方向Ｘに対応する方向の長さが２５ｍｍのサンプル片を用い、おむつの縦方向Ｘと同方向の伸長回復率又は最大伸度を測定する際には、おむつの縦方向Ｘに対応する方向の長さが５０ｍｍ、おむつの横方向Ｙに対応する方向の長さが２５ｍｍのサンプル片を用いる。
【００１９】
＜最大伸度の測定方法＞
上述する伸長回復率の測定方法に用いたサンプル片と同じ寸法のサンプル片を同様の条件で伸長させ、破断した時点の伸度を最大伸度とする。
【００２０】
伸縮性シートとしては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特許３０５４９３０号公報等を用いることもできる。
【００２１】
本実施形態のおむつ１は、図４に示すように、自然平坦状態において、サイドシール部Ｓの下端Ｓｄと立体ギャザー８の先端８ａとを結ぶ第１仮想直線Ｌ１と、該立体ギャザー８の先端８ａを通りパンツ型吸収性物品１の横方向Ｙに延びる第２仮想直線Ｌ２とのなす角度θが４０°以上６０°以下であり、且つ該立体ギャザー８の先端８ａが、該立体ギャザー８の立ち上がり基端８ｂよりパンツ型吸収性物品１の横方向の中央側（縦方向中央線ＣＬ側）に位置している。サイドシール部Ｓが横方向Ｙに一定の長さ（幅）を有する場合には、第１仮想直線Ｌ１は、おむつ１の横方向中央寄りの下端Ｓｄ（吸収性本体１０に近い側の角部）と、立体ギャザー８の先端８ａとを結ぶこととする。
【００２２】
本実施形態のおむつ１は、前記なす角度θが４０°以上であることにより、足を真下に下ろすだけでレッグ開口部６に足を通しやすくなり、サイドシール部Ｓの下端付近に足が引っ掛かることも防止することができる。
また、前記なす角度θが６０°以下であることにより、着用者が立ったまま自分で装着する際にレッグ開口部６に足を通し易く、装着のために体を大きく傾ける等、無理な姿勢をとる必要もない。また立体ギャザー８の先端８ａが立ち上がり基端８ｂよりもおむつ１の横方向中央側に位置し、立体ギャザー８が該横方向中央側に傾いていることにより、レッグ開口部６に足を通す導線上に立体ギャザー８が存在しにくくなり、立体ギャザー８に足や足の指が引っ掛かり装着を困難とすることも抑制される。
着用者が立ったまま自分で装着する際にレッグ開口部６に足を一層通し易くする観点から、前記なす角度θは、４４°以上であることがより好ましく、更に好ましくは４６°以上であり、また好ましくは５８°以下であり、更に好ましくは５６°以下であり、また、より好ましくは４４°以上５８°以下、更に好ましくは４６°以上５６°以下である。
【００２３】
自然平坦状態とは、パンツ型吸収性物品を、背側部Ｂ側を下、腹側部Ａ側を上に向けて水平面上に平置きにし、自然に収縮させた状態であり、前述したなす角度θや、立体ギャザーの先端と立ち上がり基端との位置関係等は、以下のようにして調べる。
即ち、背側部Ｂ側を下、腹側部Ａ側を上に向けて水平面上に平置きにしたパンツ型吸収性物品の上に、アクリル板を載せ、その上に、４．５ｋＰａの荷重が加わるように錘を載せて１２時間放置する。１２時間の放置後、潰れた状態のパンツ型吸収性物品を真上から撮影するとともに、その状態のパンツ型吸収性物品におけるサイドシール部の下端Ｓｄ、立体ギャザー８の先端８ａ、立体ギャザー８の立ち上がり基端８ｂの位置を調べて、それらの位置を画像上に記載する。そして、その画像から、サイドシール部の下端Ｓｄと立体ギャザー８の先端８ａとを結ぶ直線Ｌ１と、立体ギャザー８の先端８ａを通りパンツ型吸収性物品１の横方向Ｙに延びる直線Ｌ２とのなす角度θを測定し、また、立体ギャザーの先端８ａと立ち上がり基端８ｂとの位置関係を調べる。
なお、立体ギャザーの先端８ａの位置は、立体ギャザー８の先端８ａの縦方向における、自然平坦状態のパンツ型吸収性物品の上下方向〔図４の上下方向〕において最も下側に位置する部分の位置であり、通常は、パンツ型吸収性物品を展開状態から組み立てた時の折り返し位置（すなわち、パンツ型吸収性物品の縦方向Ｘにおける中間位置）に該当することが多い。立体ギャザーの立ち上がり基端８ｂの位置は、パンツ型吸収性物品を展開且つ伸長状態としたときに、縦方向Ｘの位置が、立体ギャザーの先端８ａと同位置における立体ギャザーの立ち上がり基端８ｂの位置である。また、アクリル板を載せる前には、サイドシール部を手で軽く左右に引っ張った後、手を離し、重ねた状態の背側部と腹側部とを平坦となるように調整しておく。
【００２４】
自然平坦状態のパンツ型吸収性物品において、立体ギャザーの先端８ａは、立体ギャザー８の立ち上がり基端８ｂからの距離Ｌ３（図４参照）が、股下部Ｃの下端幅Ｌ４の１０％以上であることが好ましく、より好ましくは１２％以上３０％以下である。また、前記下端幅Ｌ４は、好ましくは８０ｍｍ以上、より好ましくは１００ｍｍ以上であり、また好ましくは２５０ｍｍ以下、より好ましくは２１０ｍｍ以下である。
なお、立体ギャザー８は、立ち上がり基端８ｂから先端８ａまでの範囲（立体ギャザー形成用シートの自由域８１ｃ）が連続して、パンツ型吸収性物品の横方向中央側に向かっていることが好ましい。
また、自然平坦状態のパンツ型吸収性物品は、サイドシール部の下端Ｓｄと立体ギャザーの先端８ａとの間の距離Ｌ５（図４参照）が、股下部Ｃの下端幅Ｌ４の５０％以上２５０％以下であることが好ましく、より好ましくは１００％以上２００％以下である。また、前記距離Ｌ５は、好ましくは８０ｍｍ以上、より好ましくは１００ｍｍ以上であり、また好ましくは２００ｍｍ以下、より好ましくは１８０ｍｍ以下である。
【００２５】
本実施形態のおむつ１は、ウエスト開口部５における一対のサイドシール部Ｓ，Ｓ間の最大伸長長さＬ６（図５参照）が、自然平坦状態における股下部の下端幅Ｌ４の３倍以上である。最大伸長長さＬ６を股下部の下端幅Ｌ４の３倍以上とし、おむつ１を装着する際に、股下部の下端幅Ｌ４に対してウエスト開口部５を非常に大きく拡大できるようにすると、レッグ開口部６を視覚的に確認しながら足をレッグ開口部６に通すことが容易となり、着用者が、おむつ１を自分で装着することが一層容易となる。斯かる効果が一層確実に奏されるようにする観点から、最大伸長長さＬ６は、股下部の下端幅Ｌ４の３倍以上であることが好ましく、より好ましくは３倍以上５倍以下、更に好ましくは３．３倍以上４．５倍以下である。
【００２６】
最大伸長長さＬ６は、下記方法により測定される。
〔最大伸長長さの測定方法〕
左右のサイドシール部それぞれの上端から２ｃｍの範囲を、テンシロン引っ張り試験機（オリエンテック社製、商品名「ＲＴＡ−１００」）のチャックに挟み込み、サイドシール部間の距離を、３００ｍｍ／秒の速度で拡大したときに、引っ張り荷重が、０．１Ｎ／ｃｍとなった時点におけるサイドシール部間の距離を、前記最大伸長長さＬ６とする。
【００２７】
また、本実施形態のおむつ１は、自然平坦状態においてサイドシール部の下端Ｓｄと股下部の側端部Ｃｓとの間のパンツ型吸収性物品の横方向Ｙの距離Ｌ７（図４参照）が、股下部の下端幅Ｌ４の０．２倍以上である。前記距離Ｌ７を股下部の下端幅Ｌ４の０．２倍以上とし、おむつ１を装着する際のレッグ開口部６の幅を大きくすると、レッグ開口部６を視覚的に確認しながら足をレッグ開口部６に通すことが容易となり、また通す際に、足や足の指が、レッグ開口部６の周囲に引っ掛りにくくくなる。斯かる観点から、前記距離Ｌ７は、股下部の前記下端幅Ｌ４の０．２倍以上であることが好ましく、より好ましくは０．３倍以上２倍以下、更に好ましくは０．５倍以上１．５倍以下である。
【００２８】
前記距離Ｌ７は、前記なす角度θを測定する際の画像に、サイドシール部の下端Ｓｄの位置に加えて股下部Ｃの側端部Ｃｓの位置も書き込み、パンツ型吸収性物品の横方向に沿う方向のそれらの間の距離（図４参照）を測定する。
【００２９】
本実施形態のおむつ１の外装材１１は、ウエスト開口部５の開口周縁部に伸縮性を付与するためのウエスト部弾性部材５１を備えている。ウエスト部弾性部材５１は、腹側部Ａにおける外層シート１２Ａと内層シート１３Ａとの間、及び背側部Ｂにおける外層シート１２Ｂと内層シート１３Ｂとの間に伸長状態で固定されている。
本実施形態のおむつ１の外装材１１は、レッグ開口部６の開口周縁部に伸縮性を付与するためのレッグ部弾性部材６１を備えている。より具体的には、レッグ部弾性部材６１として、腹側部Ａから股下部Ｃに亘って配された第１のレッグ部弾性部材６１ａと、背側部Ｂから股下部Ｃに亘って配された第２のレッグ部弾性部材６１ｂとを有している。第１のレッグ部弾性部材６１ａ及び第２のレッグ部弾性部材６１ｂは、それぞれ、サイドシール部Ｓに位置する外側端部と、レッグ開口部６の周縁部に沿って配されている中間部と、レッグ開口部６の周縁部から離れて、吸収性本体１０の横方向中央側（縦方向中央線ＣＬ側）に向かって延在する内側延出部とを備えている。
そして、その第１のレッグ部弾性部材６１ａと第２のレッグ部弾性部材６１ｂとは、股下部Ｃの横方向の全域に亘って相互に離間している。第１のレッグ部弾性部材６１ａと第２のレッグ部弾性部材６１ｂとが相互に離間していることによって、レッグ開口部６の周縁部に伸縮性を確保しつつレッグ開口部６が大きく縮むことを防止でき、おむつ１を装着する際に、レッグ開口部６に一層足を通し易くなる。脚回りに良好なフィット性を確保することと足の通し易さを向上させることとを両立させる観点から、第１のレッグ部弾性部材６１ａと第２のレッグ部弾性部材６１ｂとの間の、おむつ縦方向の最短距離Ｌ８（図２参照）は、おむつ１の縦方向の全長Ｌ（図２参照）の１５％以上５０％以下が好ましく、より好ましくは２０％以上４５％以下である。
【００３０】
また、本実施形態のおむつ１は、図２に示すように、第１のレッグ部弾性部材６１ａが配されている第１のレッグ部弾性部材６１ａの配置領域と第２のレッグ部弾性部材６１ｂが配されている第２のレッグ部弾性部材６１ｂの配置領域との間の領域Ｃ１には、立体ギャザーに配されている弾性部材８２以外に、縦方向Ｘに延びる弾性部材が配されていない。
すなわち、前記領域Ｃ１においては、外装材１１に、縦方向Ｘに延びる弾性部材が配されておらず、更に前記領域Ｃ１においては、吸収性本体１０についても、立体ギャザーに配されている弾性部材８２以外に、縦方向Ｘに延びる弾性部材が配されていない。
【００３１】
レッグ開口部６が大きく縮むことを防止でき、おむつ１を装着する際に、レッグ開口部６に一層足を通し易くなる観点から、前記領域Ｃ１における外装材１１には、縦方向Ｘに延びる弾性部材が配されていないことが好ましく、該領域Ｃ１には、外装材１１及び吸収性本体１０を含むパンツ型吸収性物品の全体として、立体ギャザーに配されている弾性部材８２以外に、縦方向Ｘに延びる弾性部材が配されていないことが好ましい。
【００３２】
ウエスト部弾性部材５１及びレッグ部弾性部材６１ａ，６１ｂとしては、それぞれ、使い捨ておむつに従来使用されている各種の弾性部材を使用することができ、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００３３】
以上、本発明をその好ましい実施形態に基づき説明したが、本発明は上記の実施形態に制限されず、適宜変更可能である。
例えば、外装材１１は、外層シートが、腹側部Ａ，股下部Ｃ及び背側部Ｂに亘って連続する一枚のシートからなるものであっても良い。また、股下部Ｃにおける外層シート１２Ｃも伸縮性シートから構成されていても良い。また、外装材１１が、一枚の非伸長性シートのみから構成されていても良い。また、外層シート１２Ａ，１２Ｂ及び内層シート１３Ａ，１３Ｂとは別体の端部固定用シート１４Ａ，１４Ｂに代えて、外層シート１２Ａ，１２Ｂ及び内層シート１３Ａ，１３Ｂの一方又は双方から連続するシートをウエスト開口部の周縁端で折り返し、その折り返された部分を端部固定用シートとして用いることもできる。また、端部固定用シート１４Ａ，１４Ｂの一方又は双方は無くても良い。
また、外装材１１は、外層シート及び内層シートの全体が非伸長性シートのみからなるものであっても良いし、外層シート及び内層シートの全体が伸縮性シートのみからなるものであっても良い。
【００３４】
また本発明のパンツ型吸収性物品は、成人用のパンツ型使い捨ておむつに代えて幼児のおむつ離れトレーニング用のパンツ型使い捨ておむつであっても良く、パンツ型の生理用ナプキンであっても良い。
【００３５】
前述した本発明の実施形態（態様）に関し、更に以下のパンツ型吸収性物品を開示する。
＜１＞
着用者の前後方向に対応する縦方向及び該縦方向に直交する横方向を有し、吸収体を含み、前記縦方向の両側部に立体ギャザーを有する吸収性本体と、該吸収性本体の非肌対向面側に配された外装材とを備え、着用時に着用者の腹側に配される腹側部と着用者の背側に配される背側部とその間に位置する股下部とを有し、腹側部の両側部と背側部の両側部とが接合されていることによって、一対のサイドシール部、ウエスト開口部及び一対のレッグ開口部が形成されているパンツ型吸収性物品であって、前記立体ギャザーは、前記吸収性本体の前記縦方向にそれぞれ沿って延びる先端及び立ち上がり基端を有しており、自然平坦状態において、前記サイドシール部の下端と前記立体ギャザーの前記先端とを結ぶ第１仮想直線と、該立体ギャザーの前記先端を通りパンツ型吸収性物品の前記横方向に延びる第２仮想直線とのなす角度θが４０°以上６０°以下であり、且つ前記立体ギャザーの前記先端が、該立体ギャザーの前記立ち上がり基端よりパンツ型吸収性物品の前記横方向中央側に位置している、パンツ型吸収性物品。
【００３６】
＜２＞
前記ウエスト開口部における一対のサイドシール部間の最大伸長長さＬ６が、前記自然平坦状態における前記股下部の下端幅Ｌ４の３倍以上である、前記＜１＞に記載のパンツ型吸収性物品。
＜３＞
前記最大伸長長さＬ６が、股下部の下端幅Ｌ４の３倍以上５倍以下、より好ましくは３．３倍以上４．５倍以下である、前記＜２＞に記載のパンツ型吸収性物品。
＜４＞
前記自然平坦状態において、前記サイドシール部の下端と前記股下部の側端部との間のパンツ型吸収性物品の前記横方向の距離Ｌ７が、前記股下部の下端幅Ｌ４の０．２倍以上である、前記＜１＞〜＜３＞の何れか１に記載のパンツ型吸収性物品。
＜５＞
前記自然平坦状態において、前記サイドシール部の下端と前記股下部の側端部との間のパンツ型吸収性物品の前記横方向の距離Ｌ７が、前記股下部の下端幅Ｌ４の０．３倍以上２倍以下、より好ましくは０．５倍以上１．５倍以下である、前記＜４＞に記載のパンツ型吸収性物品。
【００３７】
＜６＞
前記レッグ開口部の開口周縁部に伸縮性を付与するレッグ部弾性部材として、前記腹側部から前記股下部に亘って配された第１のレッグ部弾性部材と、前記背側部から前記股下部に亘って配された第２のレッグ部弾性部材とを有しており、第１のレッグ部弾性部材と第２のレッグ部弾性部材とが、前記股下部における前記横方向の全域に亘って相互に離間している、前記＜１＞〜＜５＞の何れか１に記載のパンツ型吸収性物品。
＜７＞
第１のレッグ部弾性部材と第２のレッグ部弾性部材との間の、おむつ（パンツ型吸収性物品）の前記縦方向の最短距離Ｌ８が、おむつ（パンツ型吸収性物品）の前記縦方向の全長Ｌの１５％以上５０％以下であり、より好ましくは２０％以上４５％以下である、前記＜６＞に記載のパンツ型吸収性物品。
＜８＞
パンツ型吸収性物品の前記縦方向における、第１のレッグ部弾性部材の配置領域と第２のレッグ部弾性部材の配置領域との間の領域には、前記立体ギャザーに配されている弾性部材以外に、前記縦方向に延びる弾性部材が配されていない、前記＜６＞又は＜７＞に記載のパンツ型吸収性物品。
＜９＞
パンツ型吸収性物品の前記縦方向における、第１のレッグ部弾性部材の配置領域と第２のレッグ部弾性部材の配置領域との間の領域においては、前記外装材に、前記縦方向に延びる弾性部材が配されていない、前記＜６＞又は＜７＞に記載のパンツ型吸収性物品。
＜１０＞
前記レッグ開口部の開口周縁部に伸縮性を付与するレッグ部弾性部材として、前記腹側部から前記股下部に亘って配された第１のレッグ部弾性部材と、前記背側部から前記股下部に亘って配された第２のレッグ部弾性部材とを有しており、第１のレッグ部弾性部材及び第２のレッグ部弾性部材は、それぞれ、サイドシール部に位置する外側端部と、レッグ開口部の周縁部に沿って配されている中間部と、レッグ開口部の周縁部から離れて、吸収性本体の横方向中央側（縦方向中央線ＣＬ側）に向かって延在する内側延出部とを備えている、前記＜１＞〜＜９＞の何れか１に記載のパンツ型吸収性物品。
【００３８】
＜１１＞
前記なす角度θが、好ましくは４４°以上であり、更に好ましくは４６°以上であり、また好ましくは５８°以下であり、更に好ましくは５６°以下であり、また、より好ましくは４４°以上５８°以下、更に好ましくは４６°以上５６°以下である、前記＜１＞〜＜１０＞の何れか１に記載のパンツ型吸収性物品。
＜１２＞
自然平坦状態のパンツ型吸収性物品において、前記立体ギャザーの前記先端は、前記立体ギャザーの前記立ち上がり基端からの距離Ｌ３が、前記股下部の下端幅の１０％以上であることが好ましく、より好ましくは１２％以上３０％以下である、前記＜１＞〜＜１１＞の何れか１に記載のパンツ型吸収性物品。
＜１３＞
自然平坦状態のパンツ型吸収性物品において、前記立体ギャザーの前記先端は、前記立体ギャザーの前記立ち上がり基端からの距離Ｌ３が、２５０ｍｍ以下、好ましくは２１０ｍｍ以下である、前記＜１＞〜＜１２＞の何れか１に記載のパンツ型吸収性物品。
＜１４＞
自然平坦状態のパンツ型吸収性物品は、前記サイドシール部の下端と前記立体ギャザーの前記先端との間の距離Ｌ５が、前記股下部の下端幅Ｌ４の５０％以上２５０％以下であることが好ましく、より好ましくは１００％以上２００％以下である、前記＜１＞〜＜１３＞の何れか１に記載のパンツ型吸収性物品。
＜１５＞
自然平坦状態のパンツ型吸収性物品は、前記サイドシール部の下端と前記立体ギャザーの前記先端との間の距離Ｌ５が、好ましくは８０ｍｍ以上、より好ましくは１００ｍｍ以上であり、また好ましくは２００ｍｍ以下、より好ましくは１８０ｍｍ以下である、前記＜１＞〜＜１４＞の何れか１に記載のパンツ型吸収性物品。
【００３９】
＜１６＞
前記吸収性本体は、液透過性の表面シート、液難透過性の裏面シート及び両シート間に介在配置された液保持性の前記吸収体を有している、前記＜１＞〜＜１５＞の何れか１に記載のパンツ型吸収性物品。
＜１７＞
前記立体ギャザーは、立体ギャザー形成用シートと、該シートに伸長状態で固定されている弾性部材とを有している、前記＜１＞〜＜１６＞の何れか１に記載のパンツ型吸収性物品。
＜１８＞
前記立体ギャザー形成用シートは、前記股下部に、前記吸収性本体の構成部材に固定されている固定域と、該吸収性本体の構成部材に固定されていない自由域とを有しており、該自由域及び該自由域に伸長状態で固定されている前記弾性部材が、前記立体ギャザーを形成している、前記＜１７＞に記載のパンツ型吸収性物品。
＜１９＞
前記立体ギャザー形成用シートは、前記立体ギャザーの前記立ち上がり基端より前記横方向の外側に位置する部分が、前記吸収体の肌対向面側から非肌対向面側に巻き下げられており、前記吸収体の非肌対向面側において裏面シート及び外装材の少なくとも一方に接合されている部分と、前記吸収体の肌対向面側において表面シート上に固定されている部分とを有している、前記＜１７＞又は＜１８＞の何れか１に記載のパンツ型吸収性物品。
＜２０＞
前記立体ギャザーは、前記股下部において、又は該股下部と、前記腹側部及び前記背側部それぞれの一部において、前記吸収性本体の肌対向面を形成する表面シート上から離間して立ち上がるように形成されている、前記＜１＞〜＜１９＞の何れか１に記載のパンツ型吸収性物品。
【００４０】
＜２１＞
前記腹側部及び前記背側部それぞれにおける前記外装材は、伸縮性シートからなる外層シートと、外層シートよりも肌対向面側に位置し、非伸長性シートからなる内層シートとが積層された構造を有している、前記＜１＞〜＜２０＞の何れか１に記載のパンツ型吸収性物品。
＜２２＞
成人用のパンツ型吸収性物品である、前記＜１＞〜＜２１＞の何れか１に記載のパンツ型吸収性物品。
＜２３＞
前記第１仮想直線Ｌ１は、前記サイドシール部の、前記パンツ型吸収性物品の横方向中央寄りの下端（吸収性本体に近い側の角部）と前記立体ギャザーの先端とを結ぶ直線である、前記＜１＞〜＜２２＞の何れか１に記載のパンツ型吸収性物品。
【実施例】
【００４１】
以下、本発明を実施例により更に詳細に説明する。しかしながら本発明の範囲はかかる実施例によって何ら制限されるものではない。
〔実施例１及び２〕
図１〜図３に示す構成を有し、図２、図４及び図５に示す各部の寸法が表１に示す寸法である成人用のパンツ型使い捨ておむつを作成した。
【００４２】
〔比較例１〜５〕
市販の成人用のパンツ型使い捨ておむつを用意した。そのそれぞれについて図２、図４及び図５に示す各部の寸法を測定して表１に示した。また、立体ギャザーの先端の位置については、立体ギャザーの先端が、立体ギャザーの立ち上がり基端よりパンツ型使い捨ておむつの横方向の中央側に位置している場合を「＋」、横方向の外側に位置している場合を「−」とした。また、比較例５のパンツ型使い捨ておむつは、立体ギャザーを有しないものであった。
【００４３】
〔評価〕
実施例１及び２、並びに比較例１〜５のパンツ型使い捨ておむつについて、下記方法により、立ったままでの足通し及び引き上げ動作時における被験者の重心動揺軌跡長を重心動揺計で測定し、立ったままで自分で装着する際の装着の容易性（足の通し易さ及びひざまでの引き上げ易さ）を評価した。
＜装着の容易性の評価方法＞
１５名の各被験者に、各おむつについて、重心動揺計上で下記の装着動作を行わせ、該装着動作中の被験者の重心動揺を測定し、装着動作中の重心動揺軌跡長を算出した。被験者は、健康な６０代〜７０代の高齢者１５名で実施した。おむつを着用させる順序はランダムとし、各被験者には、どのおむつを着用させているかは知らせなかった。
【００４４】
〔装着動作〕
（１）重心動揺計の上に立った状態で、おむつの両脇を持っておむつを広げる。次いで、広げた状態のおむつの一対のレッグ開口部に片方ずつ足を入れる（足通し）。足の左右の順序は問わない。
（２）おむつに両足を入れたら、立った状態のままでおむつの両脇を持って、おむつを膝の位置まで引き上げる（引き上げ動作）。
（３）膝の位置までおむつを引き上げたら手を離し、正面を向いて気を付けの姿勢で１０秒間静止する。
【００４５】
表１に、各おむつについて１５名の被験者の重心動揺軌跡長の平均値を示した。重心動揺計は、足底圧の垂直作用力を変換器で検出し、足圧中心の動揺を電気信号変化として出力し、平衡機能を検査する足圧検出装置である。具体的には、重心動揺計として、システムグラビコーダＧ−５５００（アニマ株式会社）を用いた。
重心動揺軌跡長は、おむつの装着の容易性（足の通し易さ及びひざまでの引き上げ易さ）の良否を示す指標となる。すなわち、重心動揺軌跡長が短いほど、身体の重心が安定していることを示し、おむつに足を通し、膝まで引き上げることが容易である。また、重心動揺軌跡長が長いほど、身体の重心が不安定であることを示し、おむつに足を通し、膝まで引き上げるまでの動作が困難である。
【００４６】
表１中のθ、Ｌ，Ｌ３〜Ｌ８は下記の通りである。
θ：第１仮想直線Ｌ１と第２仮想直線Ｌ２とのなす角度
Ｌ：おむつ１の縦方向の全長
Ｌ３：立体ギャザー８の立ち上がり基端８ｂからの距離
Ｌ４：股下部Ｃの下端幅
Ｌ５：サイドシール部の下端Ｓｄと立体ギャザーの先端８ａとの間の距離
Ｌ６：サイドシール部間の距離の最大伸長長さＬ６
Ｌ７：自然平坦状態においてサイドシール部の下端Ｓｄと股下部の側端部Ｃｓとの間のパンツ型吸収性物品の横方向Ｙの距離
Ｌ８：第１のレッグ部弾性部材６１ａと第２のレッグ部弾性部材６１ｂとの間の、おむつ縦方向の最短距離
【表１】
2018015345.tif 000003
【００４７】
表１に示すように、本発明の実施例１及び２のおむつは、重心動揺軌跡長が１３０ｃｍ以下であり、比較例１〜５のおむつ（重心動揺軌跡長１３０ｃｍ超）と比べて重心動揺軌跡長が短く、立ったまま自分で装着することが容易であることが判る。重心動揺軌跡長は、１３０ｃｍ以下が好ましく、より好ましくは１２５ｃｍ以下である。
【符号の説明】
【００４８】
１  パンツ型使い捨ておむつ（パンツ型吸収性物品）
２  表面シート
３  裏面シート
４  吸収体
５  ウエスト開口部
５１  ウエスト部弾性部材
６  レッグ開口部
６１ａ  第１のレッグ部弾性部材
６１ｂ  第２のレッグ部弾性部材
１０  吸収性本体
１１  外装材
１２Ａ  腹側部における外層シート
１２Ｂ  背側部にける外層シート
１２Ｃ  股下部における外層シート
１３Ａ  腹側部における内層シート
１３Ｂ  背側部における内層シート
１３Ｃ  股下部における内層シート
【図１】
2018015345.tif 000004
【図２】
2018015345.tif 000005
【図３】
2018015345.tif 000006
【図４】
2018015345.tif 000007
【図５】
2018015345.tif 000008